(57)【要約】  【課題】  木造建築の際に軸組構造結合交差部を土台敷設に始まり1階柱を経て2階胴差梁組を経て2階柱を経て小屋梁組迄各結合部を補強金物等を用いて堅固に締付け締結し、強力な地震及び台風等に遭遇した際に耐える効果を維持する構造補強工法を提供する。  【解決手段】  土台と土台の結合部には直線型又は曲線型羽子板B等を用いて、土台と柱の結合部にはＬ型プレート等を用いて、通柱と2階梁の結合部にはＬ型プレート等を用いて、2階梁と2階梁並びに小屋梁と小屋梁の結合部にはＬ型金物等を用いて、2階梁と上部及び下部の管柱との結合部にはＬ型プレート等を用いて、小屋梁と下部柱との結合部にはＬ型プレート等を用いて、各構造結合部を堅固に締結をなし、また、各締付け部分のナット下部等にはスプリング式板金を挟み敷いて其のナットが如何なる状況に遭遇しても各結合部胴付き締付け力効果を発揮する耐震耐風性構造補強工法。  【選択図】    図34
2008285873.tif 000002
【特許請求の範囲】
【請求項１】
木造建築の際にＲＣ造布基礎にアンカーボルトにて堅固に締結した土台を敷設する際に、建物が地震及び台風に遭遇時対応工法として、通し直土台に土台の結合部をＴ字型３面並びに十字型４面又はＬ型角面に結合する際の木口の仕口を蟻ホソにて結合を施し、更に直線型羽子板ボルト又は曲線型羽子板ボルトを用いて接合部胴付を締付け、締付ける際のボルトのナットと座金との間に丸型スプリング式板金を挟み敷き、土台結合部に柱がホソにて取付くための耐震衝動の影響に依る疵損を防止し、土台と土台の結合部胴付を締付け、耐震強度の堅持を特徴とする耐震構造補強工法。
【請求項２】
通し土台に土台をＴ字型３面又は十字型４面又はＬ型角面に締結した土台上端部分に柱の根ホソを平型の通し(貫通)ホソにて結合を施し、更に柱胴付き締付け専用に平板をＬ型に曲げ加工した補強金物を用いて締付け、其の際に用いるボルト又はスクリュウボルトのナット下部位に丸型又は角型のスプリング式板金を挟み敷き、其の補強金物を以て土台と柱胴付を締付け、土台及び柱根ホソ結合部胴付を締付け、耐震強度の堅持を特徴とする耐震構造補強工法。
【請求項３】
通柱に２階胴差梁を大入れ式短ホソにて１方面及び直２方面及びＬ型２方面及びＴ字型３方面及び十字型４方面の其々に梁木口の仕口加工を施し、更に梁胴付き締付け専用に平板をＬ型に曲げ加工した補強金物を用いて梁の上部面及び下部面を締付け、其の際に用いるボルト又はスクリュウボルトのナット下部位に丸型又は角型のスプリング式板金を挟み敷き、其の補強金物を以て通柱と梁胴付を締付け、通柱及び胴差梁結合部胴付を締付け、耐震強度の堅持を特徴とする耐震構造補強工法。
【請求項４】
通し２階胴差梁の横面に２階梁をＴ字型３面又は十字型４面結合の際に大入れ無し下絞り蟻ホソにて結合木口の仕口を施し、更に梁胴付き締付け専用に平板をＬ型に曲げ加工した補強金物を用いて締付け、其の際に使用するボルトのナットの下部位に丸型のスプリング式板金を挟み敷き、其の補強金物にて取付け梁の胴付を締付け、梁及び梁の結合部胴付を締付け、耐震強度の堅持を特徴とする耐震構造補強工法。
【請求項５】
２階梁の通し梁及びＴ字型３面結合部分及び十字型４面結合部分の梁上部(上端)及び下部(下端)に2階の管柱の根ホソ及び1階の管柱の上部ホソを結合する際に平型ホソにて結合を施し、更に柱胴付き締付け専用に平板をＬ型に曲げ加工した補強金物を用いて締付け、其の際に使用するボルト又はスクリュウボルトのナットの下部位に丸型又は角型のスプリング式板金を挟み敷き、其の補強金物を以て梁及び管柱の結合部胴付を締付け、耐震強度の堅持を特徴とする耐震構造補強工法。
【請求項６】
軒桁下端に柱上部の平型ホソを貫通ホソ取付けとし、更に柱胴付き締付け専用に平板をＬ型に曲げ加工した補強金物にて締付け、其の際に使用するボルト又はスクリュウボルトのナットの下部位に丸型又は角型のスプリング式板金を挟み敷き、また、軒桁内部面に小屋梁が取付く際の木口の仕口は大入れ無し下絞り蟻ホソとし、更に梁胴付き締付け専用に平板をＬ型に曲げ加工した補強金物を用いて締付け、其の際に使用するボルトのナットの下部位には丸型のスプリング式板金を挟み敷き、軒桁と柱並びに軒桁と小屋梁の結合部胴付を締付け、耐震強度の堅持を特徴とする耐震構造補強工法。
【請求項７】
通し小屋梁に片面Ｔ字型又は両面十字型に小屋梁が取付く際は、木口の仕口は下絞り蟻ホソとし、更に梁胴付き締付け専用に平板をＬ型に曲げ加工した補強金物を用いて締付け、其の際に使用するボルトのナットの下部位に丸型のスプリング式板金を挟み敷き、其の補強金物を以て小屋梁及び梁の結合部の胴付を締付け、耐震強度の堅持を特徴とする耐震構造補強工法。  
【請求項８】
小屋梁の通し梁及びＴ字型３面結合部分及び十字型４面結合部分の梁下端に柱上部ホソが取付く際に平型ホソにて結合を施し、更に胴付き締付け専用に平板をＬ型に曲げ加工した補強金物を用いて締付け、其の際に使用するボルト又はスクリュウボルトのナットの下部位に丸型又は角型のスプリング式板金を挟み敷き、其の補強金物を以て小屋梁及び柱上部の結合部の胴付を締付け、耐震強度の堅持を特徴とする耐震構造補強工法。
【発明の詳細な説明】
【技術分野】
【０００１】
木造建築軸組構造を地震又は台風等の際に予期せぬ強力な水平応力を被った際に対抗的に災害耐効を目的に、布基礎にアンカーボルトにて堅固に締結した際の土台敷設工法に始まり１階柱を経て２階床梁組を経て２階柱を経て屋根下小屋組迄(３階建ての場合は２階柱を経て３階床梁組を経て３階柱を経て小屋組迄)各軸組構造の結合部取付仕口に特製の補強金物を用いて地震又は台風に遭遇した際に強力な水平応力を受け数回の横揺れ衝動に耐える効果力維持を目的とし、建物を強震耐抗的に堅固に維持する耐震構造補強工法に関する。
【０００２】
其のためには結合部補強金物として、平板Ｌ型アングルプレート若しくは直線型又は曲線型の羽子板ボルト若しくは両面ナット締めボルト又はスクリュウボルトを用いて堅固に締め付け、横架材と管柱又は通柱と胴差梁の胴付き締付けの際に用いるプレートと部材との間には角型スプリング式板金を挟み敷き、其の他のボルトのナットの下部位には丸型のスプリング式板金を座金との間に挟み敷き、木材は使用時には乾燥材を用いても長期間使用経過する間に木痩せ現象が発生してナットが弛むのを防止し、高度な地震又は大型台風等に遭遇した際に強力な水平応力を被り数回の横揺れ衝動に依り締めたナットが弛むのを防止目的とし、建物を強震耐抗的に堅固に維持する耐震構造補強工法に関する。
【０００３】
其れに加え補強金物を使用する箇所は通常目視し難い場所が殆どにて、また、交換の施し難い場所が殆どにて、建物を半永久的に防災維持するためには前記(0002)に記載のスプリング式板金の重要性に加え、使用金物類は全面防錆処理とし、使用構造部材はプレカット加工材とし、土台組及び胴差梁組及び小屋組及び柱間隔は桁行並びに梁行共4ｍ以内とし、小屋組梁の桁行間隔のみは2ｍ以内とする工法に基ずく。
【背景技術】
【０００４】
従来木造建築の軸組み構造を耐震耐風性に堅固維持するために壁筋違等の補強方法が常用されているが壁筋違等の効力を高めるためには構造結合部を堅固に維持しないと結合取付け胴付面部が衝動に依り浮き離れると壁筋違等の効果力が発揮出来ないし、また建物自体の転倒対抗力も弱まる、其の前提として基本的な土台と土台及び土台と柱及び柱と胴差梁及び柱と小屋組等の軸組み主構造結合部を堅固に締結し災害時の水平応力に対応する必要性を考慮すべきと考えられる、しかし現在の処建物全般的に構造結合部を堅固に補強する効力的な工法は見受けられない。
【０００５】
また、文献１及び２に取付け仕口補強として記した例が見受けられるけれども建物軸組み全般に対する構造仕口補強工法的には明記されていないと解され、２階建の場合に下層の土台敷きに始まり中層の２階床組梁を経由して上層の小屋組梁迄の主構造結合部を従来の仕口工法に加え特製補強金物を利用して災害時の予期しない水平応力に耐える効果力維持が要請される。
【０００６】
また、文献１に付いては布基礎と土台と柱の締結並びに筋違的な面の強調性は見受けられ、文献２に付いてはアーム形式が主に採用されて在り、建物主構造軸組みの土台より屋根小屋組み迄全般結合部の補強性には適しないと見受けられる。
【特許文献１】特開  ２００２−２６６４３０号広報
【特許文献２】特開  ２００１−１４６７９２号広報
【発明の開示】
【発明が解決しようとする課題】
【０００７】
本発明の目的として、我国は古代より木造建築に関しては優れた伝統技術工法が継承され軸組み主構造の仕口施工方法も巧妙で技術的な点も可也見受けられる、其の古来工法に補強金物を使用して強めの地震及び台風に遭遇した際に水平応力を受けて数回の横揺れ衝動に耐える効果力維持を目的として壁筋違等が多く利用されているが、主構造材の交差結合部を堅固に取付け維持しないと結合部が災害衝撃により弛めば壁筋違等の効力も減少するし、主構造部の交差結合部を補強金物にて堅固に締結する事により建物自体を耐震的に堅固な建物となす目的が望ましい。
【０００８】
通し土台にＴ字型３面又は十字型４面に土台を組合せる場合には取付ける部分の木口の仕口を蟻ホソ工法が常用されているが交差部分には柱が根ホソにて取付く例が殆どで在るために、大地震等に遭遇した際に水平応力を受けた場合に柱の転倒対抗力に依り土台の交差部の仕口が数回の揺れに依る損傷を免れる目的のため、結合部をＴ字型の際は直線型羽子板ボルト、十字型の際は曲線型羽子板ボルトにて、堅固に締付ける補強必要課題が在った。
【０００９】
また、柱根ホソを通し直土台又はＴ字型３面又は十字型４面の交差部分に柱を取付ける場合には柱根ホソの胴付を堅固に締付け、大地震等の際の水平応力に耐える効果力を維持するために結合部に柱胴付き締付け専用Ｌ型補強金物をボルト又はスクリュウボルトにて締付け、すなわち、土台と柱根の結合部胴付き締付けを堅固に維持し、耐震的に補強必要課題が在った。
【００１０】
また、通柱に２階床胴差梁を１面又は直型２面又はＬ型２面又はＴ型3面又は十字型4面に取付ける場合は胴差梁の木口の仕口は大入れ式短ホソとし、災害時の水平応力耐抗的工法として、梁胴付き締付け専用Ｌ型補強金物を上部下部に用いて、其の金物にはボルト又はスクリュウボルトにて堅固に締付け、すなわち、取付け梁の胴付の締付け力を強度化し、耐震補強の必要課題が在った。
【００１１】
また、２階胴差梁の通し梁にＴ字型に片面又は十字型に両面に梁が取付く場合には取付け仕口加工は大入れ無し下絞り蟻ホソとし、梁胴付き締付け専用Ｌ型補強金物を用いて、其の金物にはボルトにて堅固に締付け、すなわち、取付け梁の胴付の締付け力を強度化し、耐震補強の必要課題が在った。
【００１２】
また、２階梁の通し梁又はＴ字型及び十字型交差部分の上端面又は下端面に管柱が平型ホソにて取付く場合には柱胴付き締付け専用Ｌ型補強金物を用いて、其の金物にはボルト又はスクリュウボルトにて堅固に締付け、すなわち、柱胴付の締付け力を強度化し、耐震補強の必要課題が在った。
【００１３】
また、軒桁下端面に柱上部ホソを取付ける場合には平型貫通ホソとし、柱胴付き締付け専用Ｌ型補強金物を用いて、其の金物にはボルト又はスクリュウボルトにて堅固に締め付け、また、軒桁内部面に小屋梁が取付く際には、木口仕口は下絞り蟻ホソとし、胴付き締付け補強金物は前記(0011)に記載の2階梁胴付締付け補強金物仕様と同じ工法とし、すなわち、軒桁と柱並びに軒桁と小屋梁を堅固に締結し、耐震強度の必要課題が在った。
【００１４】
また、小屋梁の側面に梁を取付ける場合の木口の仕口は大入れ無し下絞り蟻ホソとし、胴付き締め付け専用Ｌ型補強金物を用いて、ボルトにて堅固に締め付け、また、小屋梁下端に柱の上部ホソを取付ける場合の工法は前記(0012)に記載の2階梁下端面補強金物仕様と同じ工法とし、すなわち、小屋梁組の各結合部胴付を堅固に締付け、また、小屋梁と柱上部の結合部胴付を堅固に締付け耐震補強の必要課題が在った。
【課題を解決するための手段】
【００１５】
敷設する土台の材種は和桧又は和ヒバ又は米ヒバとし、規格は厚幅12cm高さ15cmとし、外周面の土台は全面布基礎に、また、内部土台は梁行桁行共間隔を4m以内毎に布基礎に径15mmのアンカーボルトにて堅固に締結し、
通し土台の片面にＴ字型に結合施工の際の木口の仕口加工は大入れ無し蟻ホソとし、其の蟻ホソはホソ長(深さ)27mm、胴付元幅40mm、ホソ先幅60
mm、高さ上端より10cmとし、胴付締付け補強金物は直線型羽子板ボルト両面締めとし、平板部分に径15mmのボルトにて締付け、其のボルトの両面ナット及び羽子板ボルトのボルト杆のナットと座金の間に径40mm厚6mmの丸型のスプリング式板金を挟み敷きナットの締付け力を堅固に維持する。
【００１６】
通し土台の両面に十字型土台を結合する際には木口の仕口加工は両面共前記(0015)に記載の加工と同じ工法とし、胴付き締付け補強金物は直線型羽子板ボルトはナット締め部が使用不可能故、曲線型羽子板ボルトを双方両面締めとし、各処ナット下部位スプリング式板金挟み敷きは前記(0015)に記載と同じ仕様とする。
【００１７】
出隅(外角)土台の結合の際には、角柱の取付く方の土台の先端木口を柱の外部面よりも外装版を張付ける際に下地となる胴縁の厚み(3cm程)の分だけ延ばし、受け土台木口部の強度を維持し、1方の取付ける土台の木口の仕口は内面部より片蟻ホソとし、深さ27mm胴付元幅30mm、ホソ先幅40mm、高さ10cmとし、胴付き締付け補強金物は曲線型羽子板ボルト両面締めとし、各処ナット下部位のスプリング式板金挟み敷きは前記(0015)に記載と同じ仕様とする。
【００１８】
通し土台に柱の根ホソを平型ホソ、幅8cm厚3cm長14cmにて取付け、柱根胴付き締付け補強金物は、Ｌ型板金(90度曲プレート)、幅40mm、厚6mm、両其々の長さ9cmとし、土台直方向上端及び柱両面に添え付け、柱両面には土台面より7cm上部位置に径15mmのボルトにて締付け、其のボルトの両面ナット下部位(座金との間)に径40mm厚6mmの丸型スプリング式板金を挟み敷き、また、土台双方上端面には柱面より6cm離れた位置に径15mm長10cmのスクリュウボルトにて締付け、その際土台上端面と補強板金の間に角型の幅40mm厚10mm長9cmのスプリング式板金を挟み敷く。
【００１９】
前記(0018)記載の工法は2階胴差梁下端面及び上端面並びに軒桁下端面及び小屋梁下端面の直通し梁に柱がホソにて取付く際の柱胴付き締付けＬ型補強金物工法として同じ工法を用いる。
【００２０】
通し土台にＴ字型に片方面に土台が取付く交差部分に柱根ホソを取付ける際に柱根胴付を締付けるために、通し土台方向柱両面及び土台上端面のL型補強金物並びに締付けボルト類等の仕様は前記(0018)に記載工法と同じとし、また、取付け土台上端面の工法も同じとし、取付け土台上端の柱面に添える補強板金部分のみを幅10cm高さ7.5cm厚６mmの変型プレートとし、締付けボルトを土台面より5cmの位置に前記(0018)に記載と同じスクリュウボルト2本締めとし、通し土台面柱締付けボルトとの交差を避ける工法とし、其のスクリュウボルトのナット下部位にも前記(0018)に記載の丸型スプリング式板金を挟み敷く。
【００２１】
前記(0020)記載の工法は２階胴差梁の下端面及び上端面並びに軒桁下端面及び小屋梁下端面の三面交差部に柱がホソにて取付く際の柱胴付き締付けＬ型補強金物工法として同じ工法を用いる。
【００２２】
通し土台に十字型に両方面に土台が取付く交差部に柱根ホソを取付ける際には、通し土台方向柱両面及び土台上端面のＬ型補強金物並びに締付けボルト類等の仕様は前記(0018)に記載工法と同じとし、両面取り付け土台上端面の工法も同じとし、両面取付け土台の柱面に添わせる補強プレートのみを幅8cm高さ7.5cm厚６mmの変型プレートとし、前記(0018)に記載のスクリュウボルト2本を両面共土台上端面より5cmの位置に締付け、其の両面其々各2本のスクリュウボルトが行き会わない工法とする。
【００２３】
前記(0022)の工法は２階胴差梁下端面及び上端面並びに軒桁下端面及び小屋梁下端面の四面交差部に柱がホソにて取付く際の柱胴付き締付けＬ型補強金物工法として同じ工法を用いる。
【００２４】
出隅(外角)土台に隅柱を取付ける場合には、柱根ホソを土台木口を延ばす柱の内面部より幅6cm厚3cm長14cmとし、片面部の柱内面と土台上端面は前記(0018)記載のＬ型補強板金を用いて柱胴付を締付け、柱面に土台より7cmの位置に径15mm長10cmのスクリュウボルトにて締付け、ナット下部位に前記(0018)記載の丸型スプリング式板金を挟み敷き、土台上端面に柱面より6cmの位置に上記と同じスクリュウボルトにて締付け、補強板金と土台上端面との間に幅4cm長9cm厚1cmのスプリング式板金を挟み敷く、また、もう一方片面部の柱内面と土台面のＬ型補強金物は、土台上端面には幅4cm長9cm厚6mmとし、上記と同じスクリュウボルトにて締付け、補強金物と土台上端面との間に幅4cm長9cm厚1cmのスプリング板金を挟み敷く、また、其の柱面に添はせる板金は幅10cm長7.5cm厚6mmの変形とし、上記に記載のスクリュウボルト2本にて、土台面より5cmの位置に締付ける。
【００２５】
通柱に一方向面(後記図34A部)に2階胴差梁が取付く際には、梁木口の仕口は幅8cm深さ15mm高さ全高の大入れの先端に深さ28mm厚幅3cm高さ全高の短ホソを柱面に挿入し、胴付き締付け補強金物は梁上端及び下端面共Ｌ型プレートとし、幅4cm長さ其々9cm厚6mmとし、柱面は、梁面より6cmの位置に径15mm長10cmのスクリュウボルトにて締付け、柱面と板金との間に補強板金と同サイズの厚1cmのスプリング式板金を挟み敷く、また、梁上下両面には柱面より7cmの位置に上記に記載と同じスクリュウボルトにて締付け、其の際ナット下部位に前記(0018)に記載の丸型のスプリング式板金を挟み敷く。
【００２６】
通柱に直線型二方向面(後記図34AC部)に２階胴差梁が取付く際には、梁木口の仕口は双方共前記(0022)に記載の大入れ式短ホソとし、梁胴付締付け補強金物も前記(0022)と同じとし、梁上端及び下端面も前記(0022)と同じ仕様工法とし、通柱上部下部共両面添金部に締付けるボルトは径15mmの通しボルトとし、柱面とプレートとの間に幅4cm長9cm厚1cmの角型スプリング式板金を挟み敷く。
【００２７】
通柱にＬ型二方向面(後記図34AB部)に２階胴差梁が取付く際には、梁木口の仕口は双方共前記(0022)に記載の大入れ式短ホソとし、片方一面の胴付締付け補強金物は梁上下面共前期(0022)に記載のＬ型補強金物取付け仕様工法と同じとし、また、片方一面の補強金物は上下の梁面は前記(0022)記載と同じ工法とし、柱面に添わせるプレートは幅10cm高7.5cm厚6mmの変型とし、前記(0022)に記載のスクリュボルト2本にて締付け、柱面とプレートとの間に幅4cm横長10cm厚1cmの角型スプリング式板金を挟み敷く。
【００２８】
通柱にＴ字型に三面２階胴差梁が取付く際には、梁木口の仕口は３方共前期(0022)に記載の大入れ式短ホソとし、直線２方向面(後記図34AC部)の胴付き締付けＬ型補強金物は梁上端及び下端共前記(0023)に記載の仕様工法と同じとし、他１面(後記図34B部)の補強金物は梁上下面は上記と同じとし、柱面に添はせる板金部分のみを幅10cm高7.5cm厚6mmの変形とし、直2方向柱面に締めたボルトとの交差を避けるために梁面より5cmの位置に前記(0021)に記載のスクリュウボルト2本にて締付け、柱面とプレートとの間に幅4cm長10cm厚1cmの角型スプリング式板金を挟み敷く。
【００２９】
通柱に十字型に四面(後記図34ABCD部)２階胴差梁が取付く際には、梁木口の仕口は４面共前記(0022)に記載と同じ工法とし、胴付締付けＬ型補強金物は一直線2方向のみ(時計周りにABCDとすればAC面)梁上下面共前記(0023)に記載と同じ仕様工法とし、他2面(BD面)は梁上下面共前記(0023)に記載と同じＬ型補強金物とし、梁面には幅4cm長9cm厚6mmとし、柱面より7cmの位置に前記(0022)に記載のスクリュウボルトにて締付け、ナット下部位に前記(0018)に記載の丸型スプリング式板金を挟み敷く、また、柱面に添はせるプレートは幅8cm高7.5cm厚6mmの変型とし、上記に記載のスクリュウボルト各2本にて締付け、其の際に双方のスクリュウボルトが行き会わない工法とし、柱面とプレートとの間に幅4cm横長8cm厚1cmの角型スプリング式板金を挟み敷く。
【００３０】
２階胴差通し梁にＴ字型片面に梁が取付く際には、木口の仕口は大入れ無し下絞り蟻ホソとし、胴付締付け補強金物はＬ型とし、取付け梁両面締めとし、受梁面に添えるプレートは幅８cm高15cm厚7mmとし、下外角部大面削除とし、曲面部位(取付梁側面)より5cmの位置、また、プレート上端より4cmの位置に、径15mmの貫通ボルトにて締付け、プレート面ナット下部位及び貫通先面には座金とナットの間に前記(0018)に記載の丸型スプリング式板金を挟み敷く。また、取付け梁面に添えるプレートは幅8cm高15cm厚7mmとし、上外角部大面削除とし、曲面部位より5cmの位置、また、プレート下端面より4cmの位置に、径15mmのボルトにて締め付け、両面共プレートとナットの間に前記(0018)に記載の丸型スプリング式板金を挟み敷く。また、Ｌ型補強プレートの取付け位置はプレート下端部位を取付け梁の下端面より2cm上部とする。
【００３１】
前記(0030)の工法は軒桁に小屋梁及び小屋梁にＴ字型に片面梁が取付く際の梁胴付き締付けＬ型補強金物として同じ工法を用いる。
【００３２】
２階胴差通し梁に十字型両面に梁が取付く際には、双方共前記(0027)と同じ工法とし、双方の取付け梁の高さに差が有る際には、高さ小型の下端規格を基準とし、受梁貫通締付けボルト部位を双方合致せしめる。
【００３３】
前記(0032)の工法は小屋梁の両面に十字型に梁が取付く際の梁胴付き締付けＬ型補強金物工法として同じ工法を用いる。
【００３４】
２階胴差直梁の上端及び下端に管柱がホソにて取付く際には、上端下端共前記(0018)に記載の仕様と同じ工法(援用)とし、また、2階胴差直梁の片面にＴ字型に梁が交差する部分の梁上端下端に管柱が取付く際には、上端下端共前記(0019)に記載の仕様と同じ工法とし、また、2階胴差直梁の両面に十字型に梁が交差する部分の梁の上端下端に管柱が取付く際には、上端下端共前記(0020)に記載の仕様と同じ工法とする、また、前記(0018)及び(0019)及び(0020)は土台上端面に柱ホソ及び胴付き締付け補強金物工法に付き上端面のみの説明で在るが、2階梁の上端面及び下端面にも同じ仕様工法とする。
【００３５】
軒桁の下端に柱が取付く際には、ホソ幅8cm厚3cmとし、上端迄貫通ホソとし、柱胴付き締付け補強金物工法は前記(0018)に記載と同じ仕様工法を桁下端に用いる、また、軒桁の内面に小屋梁が取付く際には、下絞り蟻ホソ及び胴付締付け補強金物工法は前記(0027)に記載と同じ仕様工法とする。
【００３６】
通し小屋梁の片面にＴ字型に小屋梁が取付く際には、下絞り蟻ホソ及び胴付締付け補強金物工法は前記(0027)に記載の工法と同じとし、また、両面に十字型に小屋梁が取付く際には、下絞り蟻ホソ及び胴付締付け工法は前記(0028)に記載の工法と同じとする。
【００３７】
通し小屋梁の下端に柱の上部ホソが取付く際には、前記(0018)に記載の土台上端面に取付ける際のホソ及び柱胴付き締付け補強金物工法と同じ工法を梁下端に用い、また、小屋梁がＴ字型に交差する下端に柱の上部ホソが取付く際には、前記(0019)に記載の土台上端面に取付ける際のホソ及び柱胴付き締付け補強金物工法と同じ工法を梁下端に用い、また、小屋梁が十字型に交差する梁下端に柱の上部ホソが取付く際には、前記(0020)に記載の土台面上端に取付ける際のホソ及び柱胴付締付け補強金物工法と同じ工法を梁下端に用い、また、柱上部のホソ先端が小屋梁上端の束根ホソと行き合う際には、束根ホソ長9cmとし、柱上部ホソ長は梁背高の10cm短とし、上部に束柱が立たない場所の際には、梁上端迄貫通ホソとする。
【発明の効果】
【００３８】
本発明は古来より伝統的な木造建築の構造結合部に胴付き締付け補強金物を用いて、ボルト又はスクリュウボルトにて締付ける際に丸型又は角型のスプリング式板金を挟み敷き、締付け木材部の長期間使用に基ずく木痩せ現象による締付けたナットの弛み防止対応、に加え建物が大き目の地震等に遭遇した際に水平応力に依り数回の横揺れにて胴付き締付け部分が弛まない対応、また、構造結合部は常時内装化粧材に遮られ目視難い処にて、また、締付けたナットを締め直し難い処が殆ど故、スプリング式板金を用いて建物の軸組み構造結合部を堅固に維持確保する事が出来る、また、構造結合部を胴付き締付け補強金物使用に依り、耐震目的の筋違等の取付け部分の胴付部が災害時の衝撃に依り浮き外れ耐震弱体化する事無く、建物倒壊行為を確実性を以って防止出来る、また、従来工法にては横架材結合部に柱ホソを施す場合には受材交差部の彫り込み深さが大入れ式蟻ホソにて残肉厚が薄く成り耐震的な強度が懸念課題とされていたが下絞り蟻ホソと吊り下げ式胴付き締付けＬ型補強金物に依り強度確保を維持する事が出来、耐震効果が期待できる、また、梁と梁の結合部に付いては在来の大入れ式蟻ホソ工法は木痩せが生じた際には結合部が弛み耐震的な強度が懸念課題とされて居たが新工法の下絞り蟻ホソにより解消される。
【００３９】
柱を横架材取付け部に胴付き締付け補強金物を締付ける際に柱面より６cm離れた処にスクリュウボルトにて堅固に締付けるために柱のみの断面積数は12cm角12×12=144で在るが。通し横架材に柱の両面にスクリュウボルトにて締付けた際には12+12=24×12=228の断面積数となり。Ｔ字型交差部に締付けた際には24×18=432の断面積数となり。十字型交差部に締付けた際には24×24=576の断面積数となり。すなわち、柱取付け部断面強度に関しては水平応力に対して大きな断面の柱を建てた盤石効果が期待出来る。
【発明を実施するための最良の形態】
【００４０】
本発明に付いて建築規模には個々の多種自由計画性が要求される行為であるために軸組み主構造材の結合部内容を説明するための基準として2階建てとし、
材質及び規格を下記に例記する、また、使用木材はプレカット加工材とする。
土台は和桧又は和ヒバ又は米ヒバ材とし、規格は厚幅12cm高15cmとする、また、土台の施工敷設間隔及び布基礎締結は桁行梁行共4m以内とする。
柱は和杉又は和桧とし、規格は12cm角とする、また、建て込む施工間隔は桁行梁行共4m以内とする。
2階梁及び小屋梁は和松又は米松とし、正杢又は積層集成材とし、規格は厚幅12cm高20cm以上とする、また、施工間隔は、平面間取り如何に問はず桁行梁行共4ｍ以内とする。
また、通柱に取付く2階胴差梁背高に付いては使用状況により異なる場合が生じるも説明図故四面共同背高30cm程とし、梁と梁の結合部は受梁背高30cm取付け梁背高20cm程として説明する。
【００４１】
また、本出願の説明内容用語に付いて下記に例記する。
水平応力とは、大きめの地震や台風に遭遇した際に矩形に組み立てた構造結合部を変型しようとする圧縮力又は引張力で数回繰り返すと建物倒壊の原因要素と成る力、また、弱地震にても数回遭遇すれば結合部が弛み倒壊要素となる。
胴付とは、主構造材の側面に結合する材の木口の仕口が受け材に接する切り付け面部位で受け材に平行部(取付け材に90度)が殆ど。
大入れとは、横架材が主で主構造材の側面に取付ける材の木口の胴付き部を全面又は大半凹型に15mm彫り込んで取付け材の荷重を主材に伝達負担させる仕口工法で、また、通柱に横架材を取付ける際には其の大入れの先端に平型ホソを設定し、補強金物にて締付けて引き離しを防止する工法、また、横架材に横架材を取付ける際には其の大入れの先端に蟻ホソを設定し、結合材の木口の引き離しを防止する工法。
大入れ無し下絞り蟻ホソとは、横架材木口仕口加工が主で主構造材の側面に結合する材の取付け木口の仕口を蟻ホソにて加工する際に、彫り込む深さは上部と下部は同じとし、幅のみ上部より下部を10mm程狭く加工して取付け材に荷重が掛かった際に胴付が自動的に締まる工法、また、梁の結合部は柱ホソと重複共合の際に大入れ部の厚15mm(両面結合の際は30mm)の受梁の彫り込み(欠き込み)負荷を省いて受梁の残肉部を其の分厚く残して梁交差部の耐震効力増を目的とする工法。
直線型羽子板ボルトとは、板面部と軸棒部を直線に加工製作した従来使用の羽子板Ｂの事で、また、曲線型羽子板ボルトとは、板面部に対して軸棒部のボルト杆を10度程曲げ開いて使用箇所に依っては直線型羽子板Ｂのボルト杆のナットを締付け不可の際に用いる目的の羽子板ボルト。
スプリング式板金とは、取付け使用前は中央部が盛り上がった強力なバネ板金で、使用取付けの際にナット締めにて平らに押さえ込み、如何なる状況に遭遇しても反発力に依ってナットの締付け力に影響力を与えないスプリング式にてナットの締付け力を永久的に維持する板金。
木痩せとは、材木類は新使用の際には乾燥材を用いても長期間の使用に依り長方向には変化はないが厚及び高幅ボリゥムが減少する現象の事にて、長材方向には変化は生じないが幅及び高さに変化が生じる状況の事。
また、使用金物は全面防錆処理品使用とし、説明的に明記するも使用状況により若干の許容差は在る物とする。
また、此の構造補強工法にて建築施工を行う場合には壁筋違及び燧梁等国土交通省建築基準法規定確保最低基準とする。
【００４２】
実施形態について図面及び符号を参照しながら説明する。符号は数字のみにて説明記入(符号１は1にて)、
【００４３】
図1は通し土台にＴ字型3面に片面土台が取付く処に柱(根ホソ)が建つ際の斜視図にて、１は土台側面、２は土台上端面、５は取付く土台の木口仕口の蟻ホソ、5cは蟻ホソ胴付元部位、5dはホソ先部位、6は取付け土台の胴付き部、6bは取付け土台の両側面先端外周部、8bは管柱等の胴付部、8cは柱面胴付先端外周部、9は柱根ホソ部、10cは胴付き締付け羽子板ボルトの軸棒孔部位。
図2は前記図1に記載のＴ字型3面に土台が交差する場合を上部から見た平面説明図にて、4は取付け土台上端面、5は蟻ホソにて長27mm胴付元幅4cmホソ先幅6cm高さ上端より10cm、9は柱平型ホソにて幅8cm厚3cm高14cm、10は直線型羽子板ボルトにて幅4cm厚6mm長13cm、10bは其の羽子板ボルトの軸棒部にて径13mm長24cm、11は10の板金を締付ける直ボルトにて径15mm、12は補助スクリュウボルトにて径9mm長6cm、13はボルトの頭ナット、14はボルト杆ナット、15は座金にて径5cm厚6mm、15bは受け直土台が外部面の場合等に外装版受け胴縁厚3cmとした際の外装版内にてボルト杆を収めるための座彫り部分、16はスプリング式板金にて径4cm厚6mm、18は外部面土台の場合に胴縁3cm厚とした際の外装版部の例。
図3は前記図2に記載の側面よりの断面図にて、1bは直土台木口断面部、3は取付け土台側面部、8は土台の上部に建つ柱、9bは柱根ホソ断面部、17は外部面土台敷設の場合に外装版受け用として柱外面に取付ける厚3cm程の胴縁の例、19は柱胴付を土台に締付けるＬ型補強金物の4土台面部側断面にて幅4cm厚6mm長9cmとし柱面より6cmの位置にスクリュウボルト22にて締付ける、19bは其のＬ型補強金物の柱面部側断面にて幅10cm厚6mm高7.5cmとし土台面より5cmの位置に22スクリュウボルト2本にて締付ける、19dは19及び19bの曲部補強板金にて厚6mm、19cは19を締付ける際に挟み敷く幅4cm厚1cm長9cmのスプリング式板金、20は柱胴付を土台に締付けるＬ型補強金物の2土台面部木口で幅4cm厚6mm長9cmとし柱面より6cmの位置にスクリュウボルト22にて締付ける、20bは其のＬ型補強金物の柱正面部にて幅4cm厚6mm長9cmとし土台面より7cmの位置に径15mm直ボルト11にて締付ける、20dは20及び20bの曲部補強板金にて厚6mm、20cは20を締付ける際に挟み敷く幅4cm厚1cm長9cmのスプリング式板金、21はスクリュウボルトの頭部ナット、22は径15mm長10cmのスクリュウボルト。
図4は通し直土台に十字型に両面土台が取付く四面交差部に柱が建つ場合の斜視図にて、2は通し土台上端、5は取付け土台の木口蟻ホソ、9は柱平型ホソ穴部。
図5は2の通し土台に4の取付け土台が両面に取付く場合の上端平面状況図にて、23は曲線型羽子板ボルトの平金部にて幅4cm厚6mm長13cm、23bは軸棒部にて平金部に対してボルト杆部位を外面に10度程曲げ開いた径13mm長24cm。
図6は外角部土台の組合せ状況説明平面図にて、2bは接合部を延ばす受け土台部分、2cは2bの外装版受け胴縁の厚み分(3cm程)土台先端を延ばし土台木口部強度を維持する部分、2dは2b土台に取付ける土台、5bは片蟻ホソにてホソ長2.7cm胴付元幅3cmホソ先幅4cm高さ10cm、6は切り付け胴付き面、9cは角柱根ホソ幅6cm厚3cm長14cm、23cは23の平板金部に対して内部面にボルト杆部位を10度程曲る軸棒部分。
図7は前記図6に記載の外部角柱が建つ場合に柱胴付を2面土台にＬ型補強金物にて締付ける際の状況平面図にて、19は前記図3に記載の19部分を上部より見た平面部、19bは図3に記載の19b部分を上部より見た際の平面木口部、20は図3に記載の20部分を上部より見た際の平面部、20bは図3に記載の20部分を上部より見た際の平面木口部。また、此の柱胴付き締付けＬ型補強金物工法は2階梁上端及び下端に取付く柱並びに小屋梁下端に取付く柱にも同じ工法とする。
図8は前記図7に記載の部分を2d面部より見た際の断面状況図にて、3は2b土台の側断面部、6は2d土台が取付く胴付部、5bは片蟻ホソの胴付元部、19は前記図3に記載の19の木口断面部、19bは図3に記載の19bの正面部、20は図3に記載の20の側断面部、20bは図3に記載の側断面部。また、此の柱胴付き締付けＬ型補強金物工法は2階梁上端及び下端に取付く柱並びに小屋梁下端に取付く柱にも同じ工法とする。
図9は通し土台に柱を取付ける場合の柱胴付をＬ型補強金物にて締付ける際の断面状況図にて、9bは柱根ホソの平面部。また、此の柱胴付き締付けＬ型補強金物工法は2階梁上端及び下端に取付く柱並びに小屋梁下端に取付く柱にも同じ工法とする。
図10は前記図9に記載の柱胴付き締め付けＬ型補強金物を上部より見た際の平面状況図。また、此の胴付き締付けＬ型補強金物工法は2階梁上端及び下端に取付く柱並びに小屋梁下端に取付く柱にも同じ工法とする。
図11は前記図9に記載の柱胴付き締め付けＬ型補強金物の柱正面状況図。また、此の柱胴付き締付けＬ型補強金物工法は2階梁上端及び下端に取付く柱並びに小屋梁下端に取付く柱にも同じ工法とする。
図12は通し土台にＴ字型3面に片方土台が取付く場合の交差部に柱が建つ際の通し土台面柱胴付き締付けＬ型補強金物のみの状況断面図にて、5cは取付け土台の木口仕口の蟻ホソにて胴付き元幅部位、5dはホソ先幅部位、6bは取付け土台の胴付き側面外周部。また、此の柱胴付き締付けＬ型補強金物工法は2階梁上端及び下端に取付く柱並びに小屋梁下端に取付く柱にも同じ工法とする。
図13は前記図12に記載の3面交差部の柱胴付き締め付けＬ型補強金物を上部より見た際の平面状況図。また、此の柱胴付き締付けＬ型補強金物工法は2階梁上端及び下端に取付く柱並びに小屋梁下端に取付く柱にも同じ工法とする。
図14は通し土台に十字型4面に両方土台が取付く場合の交差部に柱が建つ際の胴付き締付けＬ型補強金物を上部より見た際の平面状況図にて、19eは取付け土台面上部の柱面に添はせる平板金部分にて幅8cm厚6mm高さ7.5cm、其の板金を合反双面部締付けに用い22のスクリュウボルト各2本にて締付けるために其のスクリュウボルトが行き会はない工法とする。また、此のＬ型補強金物工法は2階梁上端及び下端に取付く柱並びに小屋梁下端に取付く柱にも同じ工法とする。
図15は前記図14に記載の四面交差部に柱が建つ場合に通し土台面木口より見た際の柱胴付き締付けＬ型補強金物状況断面図にて、1bは通し土台の断面木口、4は両面取付け土台、5は蟻ホソ部位、6は4土台の胴付部。また、此の柱胴付き締付けＬ型補強金物工法は2階梁上端及び下端に取付く柱並びに小屋梁下端に取付く柱にも同じ工法とする。
図16は前記図15に記載の交差部を取付け土台面木口より見た際のＬ型補強金物状況断面図にて、19eは前記14に記載の19e部分を正面より見た際の図。また、此の柱胴付き締付けＬ型補強金物工法は2階梁上端及び下端に取付く柱並びに小屋梁下端に取付く柱にも同じ工法とする。
図17は通柱に2階胴差梁が一面取付く場合を上部より見た際の梁胴付き締付けＬ型補強金物の状況図にて、梁上端面も下端面も同じ工法とし、7は通柱、7bは梁面胴付部位、7cは柱に梁木口部を柱に彫り込む幅8cm深さ15mmの梁木口大入れ部分、7dは大入れ先に柱に彫り込む厚幅3cm深さ2.8cm高さ梁全高の短ホソ部分、20は梁胴付を通柱面に締付ける際のＬ型補強金物にて幅4cm厚6mm長9cmにて梁面より6cmの位置に22のスクリュウボルトにて締め付け、其の際に20cの幅4cm厚1cm長9cmのスプリング式板金を挟み敷く木口部、20bはＬ金物の梁上端面及び下端面に取付ける部分にて柱面より7cmの位置に22のスクリュウボルトにて締め付ける部分、24は梁の上端及び下端面も同じとし、後記図34A面部。
図18は前記図17に記載の一面梁取付け状況斜視図にて、7は通柱2面、24は梁上端面、24bは梁側面部、24cは梁下端面。
図19は前記図17に記載の梁胴付き締付けＬ金物の正面状況図。
図20は前記図19の側面状況断面図にて、20cは梁胴付を締付ける際に挟み敷く幅4cm厚1cm長9cmのスプリング式板金の側面部。
図21は通柱に直型両面に梁が取付く際の上端面及び下端面の同じ状況平面図にて、後記図34AC面部。
図22は前記図21の取付け状況斜視図。
図23は前記図21の柱両面共同じ梁胴付き締付けＬ型補強金物取付け柱正面状況図。
図24は前記図21の梁胴付き締付けＬ型補強金物取付け状況梁側断面図。
図25は通柱にＬ型二面に梁が取付く際の梁胴付き締付けＬ型補強金物の梁上端面及び下端面の同じ状況平面図にて、19はＬ金物の梁面に取付く部分にて幅4cm厚6mm長9cmとし柱面より7cmの位置にスクリュウボルト22にて締付ける、19bは柱面に添え付ける板金部にて幅10cm厚6mm高幅7.5cmとし梁面より5cmの位置に22のスクリュウボルト2本にて締め付け其の際に19fの幅4cm厚1cm長10cmのスプリング式板金を柱面に挟み敷く、後記図34AB面部。
図26は前記図25の梁取付け部木口仕口の大入れ及び短ホソの状況斜視図。
図27は前記図25の梁胴付き締付けＬ型補強金物の状況を一面より見た際の断面図にて、19は図25に記載の19の側面部、19bは図25に記載の19bの柱に添う上部側面部、19fは図25に記載の19fの側面木口。
図28は前記図27の他の一面より見た際の梁胴付き締付けＬ型補強金物の状況断面図にて、19bは前記図25の19bの正面部、20cは前記図25の20cの側面部。
図29は通柱にＴ字型に三面梁が取付く場合の梁胴付き締付けＬ型補強金物状況平面図にて梁上端及び下端も同じ工法とし、後記図34ABC面部。
図30は前記図29の梁取付け部木口仕口の大入れ及び短ホソの状況斜視図。
図31は前記図29の梁胴付き締め付けＬ型補強金物状況を二面後記図34AC直方向面部より見た際の断面部。
図32は前記図29の同じ部分を他の単一方向取付け面より見た際のＬ型補強金物状況断面図。
図33は通柱に各方向面に梁が取付く際の木口仕口の大入れ及び短ホソの状況見取り図にて、どの面に取付く梁木口も同じ仕口とする。
図34は通柱に四面梁が取付く際に梁胴付き締付けＬ型補強金物状況を上部より見た際の平面図にて梁上端及び下端も同じ工法とし、直二面方向A〜Cは梁胴付を締付ける際の20部分を締付けるボルトは11の直ボルトとし、他二面方向B〜Dの梁胴付を締付ける際に柱面に添はせる19eの板金は幅8cm厚6mm高さ7.5cmとし梁面より5cmの位置に2本22のスクリュウボルトにて締付け其の際に19ｇの幅4cm厚1cm長8cmのスプリング式板金を挟み敷く。
図35は通柱に十字型に四面梁が取付く際の木口の大入れ及び短ホソの仕口状況斜視図。
図36は前記図34ACの一方向面より見た梁胴付き締付けＬ型補強金物の状況断面図。
図37は前記図36BDの他一方向面より見た梁胴付き締付けＬ型補強金物の状況断面図にて、19ｅは柱両面に締付ける板金にて幅8cm厚6mm高さ7.5cmにて梁面より5cmの位置に2本22のスクリュウボルトにて締め付け双方のボルトが行き合はない工法とし其の際柱面との間に19gの幅4cm厚1cm長8cmのスプリング式板金を挟み敷く。
図38は通し2階梁に十字型両面に梁が取付く交差部に管柱が平型ホソにて取付く際の平面説明図にて、上端面には2階柱根ホソにて下端面には1階柱上部ホソにて取付く状況は同じとし、Ｔ字型片面に梁が取付く際には片面のみ仕様とする、25は通し直梁、26は両面取付け梁又は片面取付け梁、27は取付け梁の木口の仕口下絞り蟻ホソにてホソ長25mm上端胴付元幅6cmホソ先幅8cm下端胴付元幅5cmホソ先幅7cmとし取付け梁に荷重が掛かれば自動的に胴付が締まる工法とする。
図39は前記38の通し梁側面より見た際の斜視図にて、25bは通し梁の側面、26bは取付け梁26が接する胴付き部、26cは取付け梁胴付外周面、27は下絞り蟻ホソ部、27bは下絞り蟻ホソ胴付元部位、27cは蟻ホソ先部位。
図40は本工法の一部である前記図38下絞り仕口新工法を、従来用いている大入れ式蟻ホソ仕口工法との相違点の説明用図とし、28は取付け梁木口を全面受梁に深さ15mm彫り込んで受梁に荷重負担伝達とし、28bの蟻ホソ長20mm胴付元幅35mmホソ先幅50mmにて引き抜き防止とし、両面に梁が取付く際には受梁の残肉が20mmなる、また、図38残肉は40mmとなり耐震的な交差部強度維持に対する重要な相違点でもある。
図41は前記40を通し梁側面より見た際の斜視図にて、28bは大入れ先胴付、28cは蟻ホソ胴付元幅部位、28dはホソ先幅部位。
図42は通し梁に十字型両面に梁が取付く際の上部平面状況説明図にて、25は受梁、26は取付梁、29はＬ型補強金物の一面にて受梁に取付ける部分、29bは他の一面を取付梁に取付ける部分。
図43は受梁にＴ字型に片面梁が取付く交差部の上部に2階管柱が下部に1階管柱がホソにて取付く際の通し梁木口状況断面図にて、29はＬ型補強金物にて受梁に取付ける部分にて幅8cm高さ15cm厚7mmとし曲げ角部より5cm上端より4cmの位置にボルトにて締付け其の際両先端ナット下に径4cm厚6mmのスプリング式板金を挟み敷く、29bは取付け梁に取付ける部分にて幅8cm高さ15cm厚7mmとし曲げ角部より5cm下端より4cmの位置にボルトにて締付け其の際両先端ナット下に径4cm厚6mmのスプリング式板金を挟み敷く、また上端の柱胴付き締付けに関してのＬ型補強金物は前記に記載の土台上端工法と同じとし、下端の柱胴付き締付けに関しても上端の工法を下向きに使用する工法とする。
図44は通し梁に十字型に両面梁が取付く交差部の上端に2階柱が下端に1階柱がホソにて取付く際の通し梁木口状況断面図にて、29及び29bのＬ型補強金物に関しては前記図43と同じとし受梁及び取付け梁のボルト位置の高さに7cmの差を付けて吊り下げ力を維持し、在来工法の大入れの役目も果たす工法とする。
図45は前記図44の際の交差部の取付け梁木口状況断面図。
図46は2階胴差通し梁(直梁)の上端に2階管柱及び下端に1階管柱がホソにて取付く際にて胴付き締付けＬ型補強金物の状況断面図。
【図面の簡単な説明】
【００４４】
【図１】通し土台にＴ字型に片面土台が取付く処に柱がホソにて建つ際の斜視図。
【図２】前記図１に片面土台を取付けた処を上部より見た際の平面説明図。
【図３】前記図２を側面通し土台木口より見た際の取付け断面説明図。
【図４】通し土台に十字型に両面土台が取付く処に柱がホソにて建つ際の斜視図
【図５】前記図４に両面土台を取付けた処を上部より見た際の平面説明図。
【図６】外面角部土台結合部状況平面説明図。
【図７】前記図６角土台結合部に隅柱が建つ際の柱胴付き締付け補強金物の上部より見た際の状況平面説明図。
【図８】前記図６の角土台結合部状況を取付け土台木口より見た際の断面説明図。
【図９】通し土台に柱を取付ける際の胴付き締付け金物状況断面説明図。
【図１０】前記図9の土台上端面金物状況平面説明図。
【図１１】前記図10の柱面金物状況正面説明図。
【図１２】土台三面交差部に柱が建つ際の通し土台面柱胴付き締付け金物状況断面説明図。
【図１３】前記図12の土台三面交差部の柱胴付き締付け金物状況を上部より見た際の平面説明図。
【図１４】通し土台に十字型両面土台交差部の柱胴付き締付け金物状況を上部より見た際の平面説明図。
【図１５】前記図14の柱胴付き締付け金物状況を通し土台木口面より見た際の断面説明図。
【図１６】前記図15を取付け土台木口面より見た際の断面説明図。
【図１７】通柱に2階胴差梁が一面取付く際の梁胴付き締付け金物梁面状況図。
【図１８】前記図17の通柱に梁が取付く際の状況斜視図。
【図１９】前記図17の通柱面金物状況説明図。
【図２０】前記図17の取付梁側面状況断面説明図。
【図２１】通柱に直型両面に2階梁が取付く際の梁胴付き締付け金物梁面状況図。
【図２２】前記図21の通柱に梁が取付く際の状況斜視図。
【図２３】前記図21の通柱面金物状況説明図。
【図２４】前記図21の側面状況断面説明図。
【図２５】通柱にＬ型両面に2階梁が取付く際の梁胴付き締付け金物梁面状況図。
【図２６】前記図25の通柱に梁が取付く際の状況斜視図。
【図２７】前記図25のＬ型の1方向通柱面及び梁側面上端及び下端の梁胴付き締付け金物断面状況図。
【図２８】前記図25のＬ型の図27に対する他1方向通柱面及び梁側面上端及び下端の梁胴付き締付け金物断面状況図。
【図２９】通柱にＴ字型3方向に2階梁が取付く際の梁胴付き締付け金物梁面状況図。
【図３０】前記図29の通柱に梁が取付く際の状況斜視図。
【図３１】前記図29の直2方向通柱面及び他1方向面梁上端及び下端の梁胴付き締付け金物断面状況図。
【図３２】前記図29のＴ型にての図31に対する他1方向通柱面及び梁側面上端及び下端の梁胴付き締付け金物断面状況図。
【図３３】通柱に2階梁が四面取付く際の通柱を断面的に見た状況図。
【図３４】前記図33の通柱に四面梁胴付を締付ける金物梁面状況図。
【図３５】前記図33の通柱に四面梁が取付く際の状況斜視図。
【図３６】前記図33の通柱直方向面の梁胴付き締付け金物及び他2方向面取り付け梁側面部の上端及び下端梁胴付き締付け状況断面図。
【図３７】前記図33の通柱に四面梁取付けの際に図36の他2方向柱面及び梁側面上端及び下端の梁胴付き締付け金物断面状況図。
【図３８】2階梁及び小屋梁等の通し梁の両面に十字型に梁が新工法大入れ無し蟻ホソにて取付く際を上部より見た平面説明図。
【図３９】前記図38を通し梁側面より見た際の斜視図。
【図４０】前記図38の新工法に対する旧従来工法の大入れ式蟻ホソを上部より見た平面説明図。
【図４１】前記40を通し梁側面より見た斜視図。
【図４２】前記図38の通し梁に両面梁が取付く際にＬ型補強金物にて取付け梁の胴付を締付ける状況を上部より見た際の平面説明図。
【図４３】2階通し梁にＴ字型片面に梁が取付く処に1階柱及び2階柱がホソにて取付く際に梁胴付き締付け及び上下の柱胴付き締付け補強金物の状況断面説明図。
【図４４】前記図43を取付け梁方向面より見た際の梁胴付き締付け及び上下柱胴付き締付け状況断面説明図。
【図４５】2階通し梁に十字型両面に梁が取付く処に1階柱及び2階柱がホソにて取付く際に梁胴付き締付け及び柱胴付き締付け補強金物の状況断面説明図。
【図４６】2階通し梁に1階及び2階管柱が取付く際の側面より見た断面図。
【符号の説明】
【００４５】
１：土台側面
1b：土台木口断面
２：土台上端
３：外角土台Ｌ型結合の際の結合土台木口部分
４：通し(直)土台にＴ型又は十字型に結合する土台部
５：通し土台に4の土台を結合する際の木口仕口蟻ホソ
5b：外角L型土台結合の際に3の木口仕口片蟻ホソ
5c：2の通し土台に5の蟻ホソを取付ける際の胴付元部位
5d：5の蟻ホソのホソ先部位
６：4の土台を2の土台側面に結合する際の胴付部分
6b：6の胴付の外周面部
７：通柱
7b：7の通柱に２階梁が取付く際の木口仕口胴付部分
7c：7の通柱に梁が取付く際に木口仕口大入れ部分
7d：7cの大入れの先端仕口短ホソ部分
８：１階及び2階の管柱
8b：管柱が横架材にホソにて結合する際の胴付部分
8c：8bの胴付の外周部
９：管柱が横架材に結合する際の平型ホソ穴部
9b：9の管柱ホソ部分
9c：角柱根ホソ
10：直線型羽子板ボルトの平板部分
10b：10の軸棒部分
11：直ボルト
12：補助スクリュウボルト
13：11のボルトの頭部ナット
14：11のボルトの先端ボルト杆ナット
15：座金板
15b：座彫り部分
16：ナットの下に挟み敷く丸型スプリング板金
17：外装版受け胴縁の例
18：外装版の例
19：横架材結合部がＬ型又は三面又は四面交差部に管柱が取付く際並びに通柱に胴差梁がＬ型又は三面又は四面取付く交差部に胴付き締付け目的としたＬ型補強金物の一面にて横架材面に添う部分
19b：横架材三面交差の際に19に対するＬ型の他一面にて柱面に添う部分
19c：柱胴付き締付け目的として柱胴付き締付けの際に19の下部に挟み敷く角型スプリング板金
19d：19及び19bの曲部の補強板金
19e：横架材四面交差の際に19に対するＬ型の他一面にて柱面に添う部分
19f：通柱に2階梁の胴付を締付ける際に19bと柱面との間に挟み敷く角型スプリング板金
19g：通柱に2階梁の胴付を締付ける際に19eと柱面との間に挟み敷く角型スプリング板金
20：結合部胴付き締付けＬ型補強金物の一面にて横架材に管柱胴付き締付けの際には横架材面に、また、通柱に胴差梁胴付き締付けの際には柱面に添う部分
20b：20に対する他の一面にて横架材に管柱胴付き締付けの際には柱面に、通柱に2階梁胴付き締付けの際には梁面に添はせる部分
20c：20と柱面又は梁面との間に挟み敷くスプリング板金
20d：20と20bの曲部の補強板金
21：スクリュウボルトの頭部ナット部分
22：スクリュウボルトの軸棒ネジ切り部分
23：曲線型羽子板ボルトの平板金部分
23b：23に対してボルト杆が外面にくの字型に10度程曲げ開いた軸棒部分
23c：23に対してボルト杆が内面に10度程23bと反面に曲げた軸棒部分
24：通柱に結合する2階胴差梁上端面
24b：24の側面部
24d：24に対する下端面
25：通し(直)受け梁
26：25受梁に対する取付け梁
【図７】
2008285873.tif 000003
【図８】
2008285873.tif 000004
【図９】
2008285873.tif 000005
【図１０】
2008285873.tif 000006
【図１１】
2008285873.tif 000007
【図１２】
2008285873.tif 000008
【図１３】
2008285873.tif 000009
【図１４】
2008285873.tif 000010
【図１５】
2008285873.tif 000011
【図１６】
2008285873.tif 000012
【図１７】
2008285873.tif 000013
【図１８】
2008285873.tif 000014
【図１９】
2008285873.tif 000015
【図２０】
2008285873.tif 000016
【図２１】
2008285873.tif 000017
【図２２】
2008285873.tif 000018
【図２３】
2008285873.tif 000019
【図２４】
2008285873.tif 000020
【図２５】
2008285873.tif 000021
【図２６】
2008285873.tif 000022
【図２７】
2008285873.tif 000023
【図２８】
2008285873.tif 000024
【図２９】
2008285873.tif 000025
【図３０】
2008285873.tif 000026
【図３１】
2008285873.tif 000027
【図３２】
2008285873.tif 000028
【図３３】
2008285873.tif 000029
【図３４】
2008285873.tif 000030
【図３５】
2008285873.tif 000031
【図３６】
2008285873.tif 000032
【図３７】
2008285873.tif 000033
【図３８】
2008285873.tif 000034
【図３９】
2008285873.tif 000035
【図４０】
2008285873.tif 000036
【図４１】
2008285873.tif 000037
【図４２】
2008285873.tif 000038
【図４３】
2008285873.tif 000039
【図４４】
2008285873.tif 000040
【図４５】
2008285873.tif 000041
【図４６】
2008285873.tif 000042
【図１】
2008285873.tif 000043
【図２】
2008285873.tif 000044
【図３】
2008285873.tif 000045
【図４】
2008285873.tif 000046
【図５】
2008285873.tif 000047
【図６】
2008285873.tif 000048
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
木構造建築の際にＲＣ造布基礎にアンカーボルトにて堅固に締結した土台を敷設する際に、建物が地震及び台風に遭遇時対応構造補強工法として、通し直土台に土台の結合部をＴ字型３面並びに十字型４面又はＬ型角面に結合する際の木口の仕口を大入れ無し下絞り蟻ホソにて結合を施し、更に取付け土台の木口部分の両側面部に直線型羽子板ボルト又は曲線型羽子板ボルトを用いて接合部胴付を締付け、締付ける際のボルトのナットと座金との間に丸型スプリング式板金を挟み敷き、土台結合部に柱がホソにて取付くための耐震衝動の影響に依る疵損を防止し、土台と土台の結合部胴付を締付け、耐震強度の堅持を特徴とする耐震構造補強工法。
【請求項２】
通し土台に土台をＴ字型３面又は十字型４面又はＬ型角面に締結した土台上端部分に柱の根ホソを平型の通し(貫通)ホソにて結合を施し、更に柱胴付き締付け専用に平板をＬ型に曲げ加工した補強金物を用いて締付け、其の際に用いるボルト又はスクリュウボルトのナット下部位に丸型又は角型のスプリング式板金を挟み敷き、其の補強金物を以って土台と柱胴付を締付け、土台及び柱ホソ結合部胴付を締付け、耐震強度の堅持を特徴とする耐震構造補強工法。
【請求項３】
通柱に２階胴差梁を大入れ式短ホソにて１方面又は直２方面又はＬ型２方面又はＴ字方３方面又は十字型４方面の其々に梁木口の仕口加工を大入れ式平型長ホソにて施し、更に梁胴付き締付け専用に平板をＬ型に曲げ加工した補強金物を用いて梁の上部面及び下部面を締付け、其の際に用いるボルト又はスクリュウボルトのナット下部位に丸型又は角型のスプリング式板金を挟み敷き、其の補強金物を以って通柱と梁胴付結合部を締付け、耐震強度の堅持を特徴とする耐震構造補強工法。
【請求項４】
通し２階胴差梁の横面に２階梁をＴ字型３面又は十字型４面結合の際に大入れ無し下絞り蟻ホソにて結合木口の仕口を施し、更に梁胴付き締付け専用に平板をＬ型に曲げ加工した補強金物を用いて締付け、其の際に使用するボルトのナットの下部位に丸型のスプリング式板金を挟み敷き、其の補強金物にて取付梁の胴付を締め付け、梁及び梁の結合部胴付を締付け、耐震強度の堅持を特徴とする耐震構造補強構造。
【請求項５】
２階梁の通し梁又はＴ字型３面結合部分又は十字型４面結合部分の梁上部(上端)及び下部(下端)に2階の管柱の根ホソ又は1階の管柱の上部ホソを結合する際に平型ホソにて結合を施し、更に胴付き締付け専用に平板Ｌ型に曲げ加工した補強金物を用いて締付け、其の際に使用するボルト又はスクリュウボルトの下部位に丸型又は角型のスプリング式板金を挟み敷き、其の補強金物を以って梁及び管柱の結合部胴付を締付け、耐震強度の堅持を特徴とする耐震構造補強工法。
【請求項６】
軒桁下端に柱上部の平型ホソを貫通ホソ取付けとし、更に柱胴付き締付け専用に平板をＬ型に曲げ加工した補強金物にて締付け、其の際に使用するボルト又はスクリュウボルトのナット下部位に丸型又は角型のスプリング式板金を挟み敷き、また、軒桁内部面に小屋梁が取付く際の木口の仕口は大入れ無し下絞り蟻ホソとし、更に梁胴付き締付け専用に平板をＬ型に曲げ加工した補強金物を用いて締付け、其の際に使用するボルトのナットの下部位には丸型のスプリング式板金を挟み敷き、軒桁と柱並びに軒桁と小屋梁の結合部胴付を締付け、耐震強度の堅持を特徴とする耐震構造補強工法。
【請求項７】
通し小屋梁に片面Ｔ字型又は両面十字型に小屋梁が取付く際は、木口の仕口は大入れ無し下絞り蟻ホソとし、更に胴付き締付け専用に平板をＬ型に曲げ加工した補強金物を用いて締付け、其の際に使用するボルトのナットの下部位に丸型のスプリング式板金を挟み敷き、其の補強金物を以って小屋梁及び梁の結合部の胴付を締付け、耐震構造の堅持を特徴とする耐震構造補強工法。
【請求項８】
小屋梁の通し梁又はＴ字型3面結合部分又は十字型4面結合部分の梁下端に柱上部ホソが取付く際に平型ホソにて結合を施し、更に胴付き締付け専用に平板をＬ型に曲げ加工した補強金物を用いて締付け、其の際に使用するボルト又はスクリュウボルトのナットの下部位に丸型又は角型のスプリング式板金を挟み敷き、其の補強金物を以って小屋梁及び柱上部の結合部の胴付を締付け、耐震強度の堅持を特徴とする耐震構造補強工法。